(57)【要約】【課題】熱交換器に流れる流量を検知し、流量が所定の点火流量に到達するとガスバーナに点火し、流量が所定の消火流量より下回ればガスバーナを自動的に消火する給湯装置が知られている。このような給湯装置では、給水圧力が変動してもガスバーナの点消火がチャタリングしないように、消火流量に対して点火流量を十分に大きな値に設定している。ところが、点火流量が大きいと、給湯開始する際に、流量が点火流量まで到達しなければガスバーナに点火されないという不具合が生じる。【解決手段】給水圧力の変動を検知し、給水圧力の変動が少ない場合には、点火流量を消火流量に近づける補正を行うようにした。【選択図】  図４
2020008178.tif 000002
【特許請求の範囲】
【請求項１】
上水管から供給される冷水をガスバーナによって加熱して温水として出湯する給湯装置であって、出湯量を検知する流量センサを備え、出湯量がゼロであり上記ガスバーナが消火状態から上記流量センサが検知する流量が点火流量に到達すると、ガスバーナに点火して上記冷水を加熱すると共に、このガスバーナが燃焼状態から上記流量センサが検知する流量が減少し、消火流量に到達するとガスバーナを消火するように構成されており、上記点火流量をこの消火流量よりも大きな値に設定し、点火流量と消火流量との間にヒステリシスを設定した給湯装置において、上記上水管から供給される冷水の水圧を検知し、その検知された冷水の水圧の変動値が所定の値より小さい場合に、上記点火流量を上記消火流量に近づける補正を行うことを特徴とする給湯装置。
【請求項２】
上記点火流量についての補正は、上記流量センサが検知する流量が消火流量を下回り、ガスバーナが消火された後に行うこと特徴とする請求項１に記載の給湯装置。
【請求項３】
上記冷水の水圧の変動値が増加すると、上記点火流量を上記消火流量から離す方向に補正を行うことを特徴とする請求項２に記載の給湯装置。
【請求項４】
上記点火流量の値を不揮発性メモリに記憶させ、電源が投入された際にこの不揮発性メモリに記憶されている点火流量の値を読み出すことを特徴とする請求項１から請求項３のいずれかに記載の給湯装置。
【発明の詳細な説明】
【技術分野】
【０００１】
本発明は、出湯量を検知する流量センサを備え、ガスバーナが消火している状態から流量センサが検知する流量を増加させてガスバーナが点火する点火流量と、流量を絞っていきガスバーナが消火する消火流量とが相違する流量に設定されている給湯装置に関する。
【背景技術】
【０００２】
給湯装置から給湯される給湯管の先端には、カランなどの出湯部が設けられている。このカランなどの出湯部が閉栓されており、給湯装置から出湯への流量がゼロの状態では給湯装置内のガスバーナは消火状態にある。このように流量がゼロの状態から出湯部で開栓が行われ、流量が増加し、流量が予め設定されている点火流量に達すると、ガスバーナが点火されて上水管からの冷水が加熱されて温水となり、出湯部に給湯される。
【０００３】
逆に、ガスバーナが点火状態で出湯部に温水が給湯されている状態から、出湯部が閉栓されて流量が減少されていくと、流量が予め設定されている消火流量まで減少した時点でガスバーナが消火される。
【０００４】
これら点火流量と消火流量とを同じ流量値に設定しておくと、流量がその流量値に近い状態で給湯している場合に、上記上水管の冷水の圧力が変動をすることにより流量が変動すると、上記給湯部での開栓量を変化させていないにもかかわらずガスバーナが点消火を繰り返すチャタリング状態になる。このようなチャタリング状態を回避するため、点火流量を消火流量よりも大きな値に設定することによって点火流量と消火流量との間にヒステリシスを設定したものが知られている（例えば、特許文献１参照）。
【先行技術文献】
【特許文献】
【０００５】
【特許文献１】特開平６−５０６０４号公報（段落０００３）
【発明の概要】
【発明が解決しようとする課題】
【０００６】
従来の給湯装置では、上記ヒステリシスを設定する際に、上水管から供給される類推の圧力は一定であることを前提として設定されている。ところが、給湯装置に冷水を供給するための上水管には他の給湯装置などに冷水を供給する給水管が多数接続されている場合があり、他の給湯装置が作動すると給水管から供給される冷水の水圧は低下する。また、作動する他の給湯装置が複数あり、その作動する給湯装置の個数が変動すると、その変動に伴って給水管から供給される冷水の水圧も変動する。このように、給水管から供給される冷水の水圧が変動することを考慮して、上記点火流量は上記消火流量よりも比較的大きな流量に設定されている。
【０００７】
ところが、点火流量を消火流量から大きく離すと、出湯部の開栓量を徐々に開けていき、流量を増やしていっても点火流量までなかなか到達せず、相当量の冷水が出湯部から流出されるまで温水が出湯されないという不具合が生ずる。
【０００８】
そこで本発明は、上記の問題点に鑑み、可及的に速やかにガスバーナが点火して給湯を開始することのできる給湯装置を提供することを課題とする。
【課題を解決するための手段】
【０００９】
上記課題を解決するために本発明による給湯装置は、上水管から供給される冷水をガスバーナによって加熱して温水として出湯する給湯装置であって、出湯量を検知する流量センサを備え、出湯量がゼロであり上記ガスバーナが消火状態から上記流量センサが検知する流量が点火流量に到達すると、ガスバーナに点火して上記冷水を加熱すると共に、このガスバーナが燃焼状態から上記流量センサが検知する流量が減少し、消火流量に到達するとガスバーナを消火するように構成されており、上記点火流量をこの消火流量よりも大きな値に設定し、点火流量と消火流量との間にヒステリシスを設定した給湯装置において、上記上水管から供給される冷水の水圧を検知し、その検知された冷水の水圧の変動値が所定の値より小さい場合に、上記点火流量を上記消火流量に近づける補正を行うことを特徴とする。
【００１０】
上記圧力センサを設けることにより、上水管から供給される冷水の圧力を検知し、その冷水の圧力が安定している場合には点火流量を消火流量に近づけることによって、開栓からガスバーナの点火までの時間が短くなるようにした。
【００１１】
なお、上記点火流量についての補正は次回の給湯開始時に発揮される必要がある。そのため、上記点火流量についての補正は、上記流量センサが検知する流量が消火流量を下回り、ガスバーナが消火された後に行うこととした。
【００１２】
ところで、上記冷水の圧力変動が少なく、点火流量を消火流量に近づける補正を行った後で、冷水の圧力変動が大きくなった場合には、点火流量を元の流量に戻す必要がある。そこで、上記冷水の水圧の変動値が増加すると、上記点火流量を上記消火流量から離す方向に補正を行うようにした。
【００１３】
上記点火流量に対する補正は、停電などの後、再度給湯を開始する際にも持続させておくことが望ましい。そこで、上記点火流量の値を不揮発性メモリに記憶させ、電源が投入された際にこの不揮発性メモリに記憶されている点火流量の値を読み出すようにした。
【発明の効果】
【００１４】
以上の説明から明らかなように、本発明は、点火流量を消火流量よりも大きな値に設定し、両者の間にヒステリシスを設定している場合に、上水管から供給される冷水の圧力変動値が小さく安定している場合に、そのヒステリシスを小さくする補正を行う。その結果、給湯開始からガスバーナの点火までの時間が短くなり、使用勝手をよくすることができる。
【図面の簡単な説明】
【００１５】
【図１】本発明の一実施の形態の構成を示す図
【図２】出湯部の開栓量と流量との関係を示す図
【図３】出湯制御を示すフロー図
【図４】点火流量を補正するフロー図
【発明を実施するための形態】
【００１６】
図１を参照して、１は給湯装置であり、内部に熱交換器２を備えている。この熱交換器には上水管３からの冷水が導かれ、ガスバーナ１１によって加熱されて冷水が温水となり給湯管２１からカランなどの給湯部４に給湯される。上水管３と熱交換器２との間には熱交換器２に流れる冷水の流量を検知する流量センサ２２と冷水の水圧を検知する圧力センサ２３とが設けられている。
【００１７】
図２を参照して、上記給湯部４での開栓量とこの給湯部４から流出する流量、すなわち流量センサ２２で検知される流量とは直線Ｌ１に示すように正比例の関係にある。この直線Ｌ１に沿って流量がゼロから増加し点火流量Ｆ１まで流量が増加すると、上記ガスバーナ１１に点火される。さらに流量が増加すると、図示しない給湯温度を検知する温度センサによるフィードバック制御により、ガスバーナ１１の火力が調節される。給湯部４での開栓量を絞り、流量が減少すると、点火流量Ｆ１を下回ってもガスバーナ１１は燃焼を継続する。そして流量が消火流量Ｅ１を下回ると、そこでガスバーナ１１が消火される。
【００１８】
上水管３から供給される冷水の水圧が減少すると、給湯部４での開栓量と流量との関係は直線Ｌ１から直線Ｌ２に変更される。すると、点火流量に相当する開栓量は点火１からＦ２の点火２に変化する。同じく、消火流量に相当する開栓量は消火１から消火２に変化する。このように、冷水の水圧が変化しても点火流量の開栓量が消火流量の開栓量より上回るように、点火流量は消火流量より大きな値に設定されている。ところが、冷水の水圧が変動せず安定している場合には、点火流量を消火流量に近づけても支障はない。
【００１９】
図３を参照して、本図に示す制御は従来の制御とほとんど同じである。最初に、圧力センサ２３による検知を開始する（Ｓ１１）。その後、流量センサ２２によって検知される流量が点火流量を上回るまで待機し、上回ればガスバーナ１１に点火を行う（Ｓ１２，Ｓ１３）。そして、ガスバーナ１１が、燃焼中は流量が消火流量以下まで下がるかどうか検知し続け（Ｓ１４）、流量が消火流量を下回ればガスバーナ１１を消火する（Ｓ１５）。
【００２０】
本発明の特徴は、点火流量を補正することにある。図４を参照して、上記圧力センサ２３が検知する冷水の水圧から圧力変動値Ｖを算出する（Ｓ２１）。この圧力変動値Ｖの算出は特定の算出方法に限定されるものではなく、目的に応じて適宜の算出方法を採用すればよい。
【００２１】
ステップＳ２１で算出された圧力変動値Ｖが、予め設定されている基準となる圧力変動値Ｖ１より小さければ、すなわち圧力変動が少なければ、上記点火流量を減少させ消火流量に近づける（Ｓ２３）。逆に、算出された圧力変動値Ｖが基準となる圧力変動値Ｖ１よりも大きければ、点火流量は予め設定されている初期位置にリセットする（Ｓ２５）。そして、Ｓ２３もしくはＳ２５で決定された点火流量値を不揮発メモリであるＥＥＰＲＯＭに格納する（Ｓ２４）。このように、圧力変動値の補正は常に行うが、上記図３に示したＳ１５でガスバーナ１１が消火された後、再び流量が増加してガスバーナ１１を点火する際に、その時点で不揮発メモリ（ＥＥＰＲＯＭ）に格納されている点火流量値を用いて上記Ｓ１２の判断を行う。
【００２２】
このように、ガスバーナ１１が消火した後、再点火される際に点火流量が補正されるが、例えば停電などによってガスバーナ１１が消火した場合であっても、補正された点火流量は不揮発メモリに記憶されているので、Ｓ１２で点火流量について判断する際には、上述のように不揮発メモリ内に記憶されている点火流量値を用いる。
【００２３】
ところで、上記実施の形態では、冷水の水圧を検知するために狭義の圧力センサ２３を用いたが、冷水の水圧を検知できる手段であればいずれのものを使用してもよい。
【００２４】
なお、本発明は上記した形態に限定されるものではなく、本発明の要旨を逸脱しない範囲内において種々の変更を加えてもかまわない。
【符号の説明】
【００２５】
１ 給湯装置
２ 熱交換器
３ 上水管
４ 給湯部
１１ ガスバーナ
２２ 流量センサ
２３ 圧力センサ
【図１】
2020008178.tif 000003
【図２】
2020008178.tif 000004
【図３】
2020008178.tif 000005
【図４】
2020008178.tif 000006